(57)【要約】【課題】送風方向を変更した場合にも、ファンケーシングの通風抵抗が増大することなく風切り音が大きくならず、風量減少も少ない空気調和機を提供することを目的とする。【解決手段】遠心式送風ファンと該遠心式送風ファンを囲むファンケーシングとを備え、遠心式送風ファンからの空気流を、本体に設けた２つの送風口から排気するようにした空気調和機において、ファンケーシングの側壁に、２つの送風口の一方と連通する排気口を設け、排気口の端辺のうち、空気流からみて下流側の端辺に、空気流の上流側に向かい該空気流を分割するフラップを設け、該フラップの位置を調整することにより、空気流を円滑に分割して、２つの送風口から排気される送風量を調整できるようにした。【選択図】図２
2011127642.tif 000002
【特許請求の範囲】
【請求項１】
遠心式送風ファンと該遠心式送風ファンを囲むファンケーシングとを備え、前記遠心式送風ファンからの空気流を、本体に設けた２つの送風口から排気するようにした空気調和機において、
前記ファンケーシング終端側の第１の排気口を前記２つの送風口の一方に連通するとともに、前記ファンケーシングの側壁に、前記２つの送風口の他方と連通する第２の排気口を設け、該第２の排気口の端辺のうち、空気流からみて下流側の端辺に、空気流の上流側に向かい該空気流を分割するフラップを設け、該フラップの位置を調整することにより、前記２つの送風口から排気される送風量を調整できるようにしたことを特徴とする空気調和機。
【請求項２】
前記フラップ先端の断面形状を、送風抵抗の少ない舌部形状としたことを特徴とする請求項１に記載の空気調和機。
【請求項３】
前記フラップを、前記ファンケーシングの側壁に設けた排気口の下流側の端辺に回転自在に設けたことを特徴とする請求項１または２に記載の空気調和機。
【請求項４】
前記フラップの位置を調節するツマミを本体の外側に突出させ、本体の外側から前記２つの送風口から送風される送風量を調整できるようにしたことを特徴とする請求項１ないし３記載の空気調和機。
【請求項５】
前記本体に設けた２つの送風口の少なくとも一方に開閉蓋をさらに設け、該蓋の開閉に連動して前記フラップの位置を変更できるようにしたことを特徴とする請求項１ないし３に記載の空気調和機。
【発明の詳細な説明】
【技術分野】
【０００１】
本発明は除湿機等、空気調和機、特にその送風機構に関するものである。
【背景技術】
【０００２】
従来、この種の空気調和機においては、設置箇所に応じて、また、快適性、空調効率の観点から、送風方向を変更できるようにしており、除湿機を例に取ると、複数方向に送風可能な除湿機として、例えば、下記特許文献１、２に開示されているものが挙げられる。
【０００３】
特許文献１に開示されているものでは、上下方向に独立した送風経路を設けることにより、また、特許文献２に開示されているものでは、１つのファンケーシング内に固着したリブにより、ファンの送風路を分割することにより、２つの送風経路を実現していた。
なお、特許文献１、２のものにおいては、送風口に開閉自在な蓋を設けることにより、上下各送風経路からの送風量を調整していた。
【先行技術文献】
【特許文献】
【０００４】
【特許文献１】特開２００３−９７８２２号公報
【特許文献２】特開２００３−１７２５２６号公報
【発明の概要】
【発明が解決しようとする課題】
【０００５】
しかしながら、従来の技術では、ファンケーシング内に形成した仕切壁やリブにより２つの送風経路を形成し、送風口に設けた開閉自在な蓋により送風経路を選択したり、両送風経路の送風量を調整しているため、ケーシング内の送風経路に不自然な形状が残り、また、送風量を制限された送風経路自体の圧力が高まり、これが送風抵抗となって、送風効率が低下することになる。そのため、送風量が減少したり、所要の送風量を得るために、ファンの回転数を高めなければならず、消費電力が増大したり、風切り音が大きくなったりする等の不具合があった。
そこで、本発明は、送風方向を変更した場合にも、ファンケーシングの通風抵抗が増大することなく風切り音が大きくならず、風量減少も少ない空気調和機を提供することを目的とする。
【課題を解決するための手段】
【０００６】
上記課題を達成するために、この発明の請求項１に係わる空気調和機においては、遠心式送風ファンと該遠心式送風ファンを囲むファンケーシングとを備え、前記遠心式送風ファンからの空気流を、本体に設けた２つの送風口から排気するようにした空気調和機において、前記ファンケーシング終端側の第１の排気口を前記２つの送風口の一方に連通するとともに、前記ファンケーシングの側壁に、前記２つの送風口の他方と連通する第２の排気口を設け、該第２の排気口の端辺のうち、空気流からみて下流側の端辺に、空気流の上流側に向かい該空気流を分割するフラップを設け、該フラップの位置を調整することにより、前記２つの送風口から排気される送風量を調整できるようにした。
【０００７】
この発明の請求項２に係わる空気調和機においては、前記フラップ先端の断面形状を、送風抵抗の少ない舌部形状とした。
【０００８】
この発明の請求項３に係わる空気調和機においては、前記フラップを、前記ファンケーシングの側壁に設けた排気口の下流側の端辺に回転自在に設けた。
【０００９】
この発明の請求項４に係わる空気調和機においては、前記フラップの位置を調節するツマミを本体の外側に突出させ、本体の外側から前記２つの送風口から送風される送風量を調整できるようにした。
【００１０】
さらに、この発明の請求項５に係わる空気調和機においては、前記本体に設けた２つの送風口の少なくとも一方に開閉蓋をさらに設け、該蓋の開閉に連動して前記フラップの位置を変更できるようにした。
【発明の効果】
【００１１】
本発明の請求項１に係る発明によれば、ファンケーシング内の空気流がフラップにより、２つの送風口の一方と連通する排気口に向けて円滑に分割されるので、空気の排気経路をファンケーシングに設けた固定部材で複数の排気経路に分割して上側及び下側の排気口に向かう空気を強制的に排気口の蓋で閉じて風向きを変更する従来例と比較して、空気抵抗を最小限に低減し、風切り音を低減できるとともに、除湿機等の空気調和機の小型化、省電力化を図りながら効果的に床面に近い箇所や床面を乾かすことができる。
【００１２】
本発明の請求項２に係る発明によれば、フラップ先端の断面形状を、送風抵抗の少ない舌部形状としたので、さらに空気抵抗の低減を図ることができる。
【００１３】
本発明の請求項３に係る発明によれば、フラップを、ファンケーシングの側壁に設けた排気口の下流側の端辺に回転自在に設けたので、特にフラップを全閉したときの空気抵抗の低減を図ることができる。
【００１４】
本発明の請求項４に係る発明によれば、つまみにより、フラップの位置を空気調和機本体の外側から簡単に調節することができる。
【００１５】
さらに本発明の請求項５に係る発明によれば、送風口に設けた開閉蓋の開閉に連動して、フラップの位置を最適に位置に簡単に調節することができる。つまみにより、フラップの位置を空気調和機本体の外側から簡単に調節することができる。
【図面の簡単な説明】
【００１６】
【図１】本発明の除湿機の概略構造断面図
【図２】（ａ）本発明のファンケーシングの基本原理図、（ｂ）ダンパー閉の状態、（ｃ）ダンパー開の状態。
【図３】本発明の実施例１に関わる構造図
【図４】本発明の実施例２に関わる構造図
【図５】（ａ）本発明の実施例３に関わる全体図、（ｂ）はダンパー動作説明図。
【発明を実施するための形態】
【００１７】
以下、空気調和機として除湿機を適用した場合の本発明の実施例を、図面を参照しながら説明する。
【実施例】
【００１８】
［実施例１］
図１は本実施例の除湿機の概略構造断面図を示す。
この除湿機は、矢印で示すように、本体ケース１の背面の空気吸い込み口２から室内空気を吸い込み、内部にある回転式除湿ロータ３により水分を吸着する型式のものであり、除湿ロータ３により水分を離脱された乾燥空気は、遠心式送風ファン４により本体ケース１の上面及び側面に設けた上面送風口５及び側面送風口６から機外に排気される。
【００１９】
回転式除湿ロータ３にて吸着された水分は再生ヒータ７にて加熱離脱され、再生ファン８により、再生ヒータ７及び凝縮器９の内部を循環する閉回路を循環する。そして、本体ケース１の背面の空気吸い込み口２から吸い込んだ室内空気は、凝縮器９を冷却し、凝縮器９内を循環している水分は凝縮され、凝縮器９の下方に設置された水タンク１０に貯水される。
【００２０】
本実施例のファンケーシング１１の構成を、図２を参照しつつ説明する。
図２（ａ）〜（ｃ）は、それぞれ本実施例のファンケーシング１１の正面図、フラップ１３の角度を切り換えた際の内部の状態を示す斜視図である。
ファンケーシング１１は、回転式除湿ロータ３側背面１１ａ及び本体ケース側前面１１ｂ（図１参照）と、遠心式送風ファン４の外周を覆う側壁１２とからなり、いわゆる遠心ファン用スパイラルケーシングを構成し、図２（ａ）では、遠心式送風ファン４は、紙面裏側から室内空気を吸い込み、終端側である上側の第１の排気口１１ｃに向けて半時計方向に空気流を形成する。
【００２１】
ファンケーシング１１の側壁１２には、その一部を切り欠いて、第２の排気口１２ａが形成され、この第２の排気口１２ａの端辺のうち空気流下流側端辺に沿って設けたヒンジ１６に、側壁１２とほぼ同じ曲率で、かつ第２の排気口１２ａを完全に閉鎖することができる大きさのフラップ１３が回転自在に設けられている。
このフラップ１３の末端は、遠心式送風ファン４により発生される空気流の上流側に向かっており、図２（ｂ）のように、フラップ１３が第２の排気口１２ａを完全に閉鎖している状態では、遠心式送風ファン４による空気流は、第２の排気口１２ａに分割されることなく、そのすべてが上側の第１の排気口１１ｃに流れ、本体ケース１の上面送風口５から送風されることになる。その際、フラップ１３は、側壁１２とほぼ同じ曲率をしていることから、遠心ファン用スパイラルケーシングとしての機能には何ら影響を及ぼすことない。
【００２２】
一方、第２（ｃ）のように、フラップ１３が開いた状態では、遠心式送風ファン４による空気流を分割し、フラップ１３の下側に分割された空気流は、ファンケーシング１１の下側に取り付けられた下側ケーシング１９により、本体ケース１の側面送風口６に導かれ、また、フラップ１３の上側に分割された空気流は、終端側である上側の第１の排気口１１ｃを介し、本体ケース１の上面送風口５に導かれ、両送風口５、６からの送風が行われるようになっている。
【００２３】
なお、フラップ１３は、遠心式送風ファン４に接触しない限度まで近接できるようになっており、上面送風口５からの送風量と側面送風口６からの送風量の割合を、ほぼ０％から１００％に、任意に調整することができるようになっている。
【００２４】
このように、フラップ１３により、ファンケーシング１１内の空気流に対し、第１の排気口１１ｃに到る第１の排気経路と、側壁１２に設けた第２の排気口１２ａを入り口として下側ケーシング１９に到る第２の排気経路が形成され、各々の排気経路を上側送風口５、側面送風口６に連結することにより、除湿し暖められた空気は、上側送風口５から上方に、側面送風口６から直接横方向に排気することができる。
【００２５】
また、フラップ１３により第２の排気口１２ａを完全に閉じることにより乾燥空気を上側送風口５のみから排気することができる。
この場合、該フラップ１３は、ファンケーシング１１の側壁１２とほぼ同形状となっているため、ファンケーシング１１は、通常の遠心ファン用スパイラルケーシングと何ら変わりなく、通風抵抗が増大することがなく、風切り音が大きくならないという利点がある。
【００２６】
図３の例では、フラップ１３の先端に舌部形状１８を形成させ、その断面は翼型もしくは涙型とされているため、フラップ１３が開き、ファンケーシング１１の排気経路中に上方向、横方向の２つの排気経路が形成された場合、遠心式送風ファン４により形成された空気流をスムースに分割するので、ファンケーシング１１の通風抵抗をさらに低減でき、風切り音の少ないファンケーシングを提供できる。
【００２７】
また、フラップ１３の回転軸であるヒンジ１６は、第２の排気口１２ａの端辺のうち空気流からみて下流側端辺に沿って空気流を乱さない形状をしており、第２の排気口１２ａを閉じた際には、舌部形状１８が、第２の排気口１２ａの空気流からみて上流側端辺に沿って設けた段差部の内部に進入し、ヒンジ１６に到るまで滑らかな側壁形状を維持し、乾燥空気を上側送風口５のみから送風する場合にファンケーシング１１の通風抵抗をさらに低減でき、風切り音の少ないファンケーシングを提供できる。
【００２８】
［実施例２］
この実施例は、図４に示されるように本体ケース１の側面送風口６近傍に開口部を形成し、前記開閉自在なフラップ１３に連結するツマミ１４を形成し、該ツマミ１４を本体ケース１の外側に突出させることにより本体ケース１の外部からフラップ１３を手動にて可動可能にしており、部品点数を削減しながら、使用者の利便性向上を図りながら同じ効果を得ることができる。なお、ツマミ１４は、図示しないストッパにより所定位置に係止できるようになっている。
【００２９】
［実施例３］
この実施例では、図５（ａ）、（ｂ）に示されるように、本体ケース１の側面送風口６に開閉自在な蓋１５をさらに設け、この蓋１５の裏側にフラップ開閉用のアーム２０が設けられている。
蓋１５を開くことにより、アーム２０の先端が、フラップ１３と一体に設けたＬ型部材２１の上面を押圧し、フラップ１３を閉鎖する方向に作用するスプリング１７の弾性力に抗してフラップ１３を回動させる。
【００３０】
蓋１５の停止位置は、図示しないストッパにより、全閉から全開まで段階的あるいは連続的に調整できるようになっており、蓋１５の開放に連動してフラップ１３が開き、第２の排気口１２ａを介して、本体ケース１の側面送風口６に分流する空気流が増加することになる。そして、蓋１５を閉じることによって、スプリング１７の弾性力によってフラップ１３が閉じ、乾燥空気を上側送風口５のみから排気することができる。なお、スプリング１７は、ヒンジ１６に内蔵するタイプのものでもよい。
【００３１】
上記の各実施例では本発明を乾式除湿機に適用した場合について説明したが、本発明はこれ以外の除湿機、さらには、空気清浄機、冷風機等さまざまな空気調和機においても適用できる。
また、フラップ１３の位置をモータ等の電気的アクチュエータで調整することも可能である。
【産業上の利用可能性】
【００３２】
以上説明してきたように、本発明の空気調和機によれば、ファンケーシングの側壁に排気口を設け、その下流側の端辺にフラップを追加するだけで大幅なコストアップを伴うことなく、ファンケーシングの通風抵抗を低減し、風切り音の減少、消費電力の低減を図ることができ、除湿機のみならず、さまざま空気調和機に広く適用されることが期待される。
【符号の説明】
【００３３】
１      本体ケース
２      空気吸い込み口
３      回転式除湿ロータ
４      送風ファン
５      上面送風口
６      側面送風口
７      再生ヒータ
８      再生ファン
９      凝縮器
１０    水タンク
１１    ファンケーシング
１１ａ  背面
１１ｂ  前面
１１ｃ  第１の排気口
１２    ファンケーシングの側壁
１２ａ  第２の排気口
１３    フラップ
１４    フラップのツマミ
１５    側面送風口に設けた蓋
１６    ヒンジ
１７    スプリング
１８    フラップの舌部
１９    下側ケーシング
２０    アーム
２１    Ｌ型部材
【図１】
2011127642.tif 000003
【図２】
2011127642.tif 000004
【図３】
2011127642.tif 000005
【図４】
2011127642.tif 000006
【図５】
2011127642.tif 000007